(57)【要約】      （修正有）【課題】略直方体状製品貨物の角部に合致する直角アングル形状の物流包装部材であって、押し出し成形により得られる長尺品を基本とし、この製法に合った材料を選択することにより、耐圧強度を有し耐久性に優れ、かつ安価な物流包装アングル部材を提供する。【解決手段】複数の製品を積層して略直方体に形成し、この略直方体の稜線部形状に合致させた断面Ｌ字形のアングル部材であって、このアングル部材表面の長手方向に縞又は波打ち模様を備えるとともに、アングル部材の断面は空洞であり、かつ、断面に複数のリブを表面に対して直立して設ける。【選択図】図３
0003135241.tif 000002
【実用新案登録請求の範囲】
【請求項１】
複数の製品を積層して略直方体に形成し、この略直方体の稜線部形状に合致させた断面Ｌ字形のアングル部材であって、
このアングル部材表面の長手方向に縞又は波打ち模様を備えることを特徴とする物流包装アングル部材。
【請求項２】
前記アングル部材は、プラスチック材に無機質の充填材を混入して成形され、
このアングル部材の断面は空洞であり、
かつ、この断面に複数のリブが前記アングル部材表面に対して夫々略直立して形成されることを特徴とする請求項１記載の物流包装アングル部材。
【請求項３】
前記プラスチック材は廃棄プラスチック材であることを特徴とする請求項２記載の物流包装アングル部材。
【考案の詳細な説明】
【技術分野】
【０００１】
この考案は、製品貨物の角部をソフトに覆い、その覆った上から縄で結束して保護するために使用する梱包用部材に関する。詳しくは、軟質で損傷し易い段ボール箱、厚紙、あるいは脆い煉瓦、石膏ボードの他各種板材を積層して形成された略直方体状の製品貨物の角部を覆い、その覆った上から紐帯で結束して保護するために使用する物流包装アングル部材に関する。
【背景技術】
【０００２】
従来、板材等の製品同士を積層し、あるいは製品を梱包した段ボール箱、プラスチックケース等をパレットに積層し製品貨物として保管又は運搬する。この場合、各種製品貨物をまとめて縄やベルト等を巻いて締め付け、あるいはストレッチフイルムと呼ばれる伸縮自在なプラスチック材によりパレットと製品貨物とを一緒に巻き付けることにより荷崩れを防いでいる。
【０００３】
ところで、段ボール箱、プラスチックケース、各種板材等の製品を積層した後、縄やベルト又はストレッチフイルム等の紐帯を使用して締め付ける際に、締め付ける力がどうしても過度になりがちである。そのために、積層して形成された直方体の角部に縄やベルトが食い込んで製品貨物を損傷する恐れがある。また、軟らかい厚紙、脆い煉瓦、石膏ボード等を強く締め付けると破壊して荷造りが困難である。また、積層高さが高い場合、ストレッチフイルム等を巻いている部位は問題ないが、それを超える部位では製品層が互いに剥離して荷崩れし易い。
【０００４】
これらの問題を解決するために数々の工夫がなされ、その中で次のような物流包装部材に関する発明が提案されている。この発明は、円筒状製品の角部を覆い、覆った上からバンドで結束して梱包する円筒状製品の角部を保護するものであって、その構成は、折り曲げ線の部位から折り曲げた短片と長片とからなる複数層の板材を接着して形成したアングル材を備え、その短片には複数のＶ字形の切り欠けが形成され、その長片には折り曲げ線に対して直角方向に延びる複数の溝が形成される（特許文献１）。
【０００５】
この様な製品貨物の角部を保護する物流包装部材として、従来鋼、ゴム、発泡スチロール又は段ボール製のものが知られているが、物性、作業性の上から一長一短がある。最近では、プラスチック製も使用されるようになり、石油等の地球資源の枯渇問題が深刻化する中、リサイクル性に優れる廃棄プラスチック材料の有効利用が叫ばれるようになった。
【０００６】
【特許文献１】実開平５−６５８号公報
【考案の開示】
【考案が解決しようとする課題】
【０００７】
以上の通りであって、特許文献１に代表されるように、従来の物流包装部材には、まとめると次のような問題点がある。
【０００８】
即ち、従来の物流包装部材の問題点の第一は、紐帯を締め過ぎると製品貨物の角部に縄が食い込んで段ボール箱を損傷、変形させる。また、脆い煉瓦、石膏ボード等の場合強く締め付けると破壊する。また、積層高さが高い場合、ストレッチフイルム等を巻いた部位は問題ないが、それを超える部位では複数層が互いに剥離して荷崩れし易い等、製品貨物の品質を保証できない。他に、運送期間中縄は製品貨物と摩擦するため縄が切れ、あるいは、縄を縛る力が足らない場合は、緩んで荷崩れを起こす恐れがある。
【０００９】
第二に、従来の物流包装部材については耐圧強度、あるいは複雑な形状が必要とされるため、これらを満足させるために生産性が悪くなりコスト高になりがちであった。
【００１０】
そこで、本発明の物流包装アングル部材は、このような従来の抱える問題点を解決するためになされたもので、略直方体状製品貨物の角部に合致する直角アングル形状の物流包装部材であって、押し出し成形により得られる長尺品を基本とし、この製法に合った材料を選択することにより、耐圧強度を有し耐久性に優れ、かつ安価な物流包装アングル部材を提供することを目的としている。
【課題を解決するための手段】
【００１１】
本考案者等は、多く物流される貨物製品の形状は略直方体であることに着目し、物流包装部材はこの直方体の角部に合致するアングル形状が良く、これを製造する方法は長尺品が得られ易い押し出し成形が最適であるとの着想へと展開した。この着想に基づきアングル部材を試作したところ、耐圧強度的にもコスト的にも優れたものが得られ、しかも製品貨物の角部を十分に保護することが出来るという知見を得た。本考案の物流包装アングル部材はかかる知見を基に具現化したもので、請求項１の考案は、複数の製品を積層して略直方体に形成し、この略直方体の稜線部形状に合致させた断面Ｌ字形のアングル部材であって、このアングル部材表面の長手方向に縞又は波打ち模様を備えることを特徴とする物流包装アングル部材である。また、請求項２の考案は、請求項１の考案の上記特徴に加えて、前記アングル部材は、プラスチック材に無機質の充填材を混入して成形され、このアングル部材の断面は空洞であり、かつ、この断面に複数のリブが前記前記アングル部材表面に対して夫々略直立して形成されることを特徴とするアングル部材である。そして、請求項３の考案は、請求項２の考案の上記特徴に加えて、前記プラスチック材は廃棄プラスチック材であることを特徴とする物流包装アングル部材である。
【００１２】
ここで、本明細書でいう「包装キャリヤー」とは、運送するために縄、紐、バンド等で縛って包装された積層製品の貨物のことを意味する。例えば、生産、運搬、回転、物流等の工程中で、段ボール箱、プラスチックケース等の容器に製品を入れ、これらの容器を積層して形成された直方体の塊を、縄、紐、バンド等で縛った包装キャリヤーがある。あるいは積層した板材、原材料等の製品を容器に入れずに直接縄、紐、バンド等の紐帯で縛った包装キャリヤーがある。
【考案の効果】
【００１３】
本考案は上述のように構成されるので、軟質で損傷し易い段ボール箱、厚紙、あるいは脆い煉瓦、石膏ボード等を積層して略直方状にした製品貨物の角部をソフトに覆い、その外側からバンド締め付けて包装する際に物流包装部材として有効に使用できる。そして、物流包装アングル部材としてプラスチック材を使用して製造した場合、長尺物が得られ易く、製品貨物の大きさに応じて随時短尺に切断して使用でき、耐久性があり、かつ、安価にしてリサイクルも可能である。また、断面を空洞にして長手方向にリブを貫通して設けるので柔軟性に富み、しかも紐帯によって締め付ける力に耐え得る強度を有する。また、廃棄プラスチック材を使用することもできるので、石油資源の枯渇に対して貢献する等の効果を奏する。また、本考案の物流包装アングル部材を使って脆い石膏ボードや極軟質のボードでも堅牢かつ安価に荷造りでき、従って、鉄道、船舶又は大型トラックなどにより長距離輸送できる等の効果がある。
【考案を実施するための最良の形態】
【００１４】
本考案の実施の形態を、添付図面に示した本考案の実施例に基づいて以下に具体的に説明する。
【実施例】
【００１５】
先ず、本考案の実施例について、図１〜図４を参照しながら説明する。図１は、本考案の実施例に係る荷造り方法の一実施例を示す斜視図である。図２は、図１に示した荷造りに使用される物流包装アングル部材を示す斜視図である。図３は、他の実施例に係る物流包装アングル部材の表面状態を示し、内側から見た斜視図である。図４は、同上、外側から見た斜視図である。
【００１６】
図１に板材等の製品２を積層して荷造りする状態を示し、この積層した直方体状の物が包装キャリヤー１である。この包装キャリヤー１の長辺側、短辺側及び鉛直方向の稜線部Ｓの部位に、夫々図２に示すような断面Ｌ字形のアングル部材１０を当てる。ここでは、長辺側上、下辺の稜線部Ｓにアングル部材１５、１５、１５及び１５を、短辺側左右の稜線部Ｓにアングル部材１６、１６、１６及び１６を、更に、鉛直方向の稜線部Ｓに製品２の積層厚に応じてアングル部材１７、１７、１７及び１７を、直方体の稜線部Ｓに合致させて断面Ｌ字形のアングル部材を当接させる。そして、これらのアングル部材の外から覆うように荷造り用の紐帯２０を巻く。ここでは、長辺に平行に荷造り用の紐帯２１及び２１を、短辺に平行に荷造り用の紐帯２２、２２及び２２を巻き、更にこれらを直角に曲げて鉛直方向に延長し、複数のアングル部材を介して製品２を堅く締め付ける。このようにして、夫々のアングル部材は製品２の角部を損傷から保護する機能を有し、運送可能に包装キャリヤー１が完成する。この場合、包装キャリヤー１の角隅部Ｋを保護するため、夫々のアングル部材の何れかを、角隅部Ｋに達する長さとしておくこともある。以上に示したアングル部材は、押し出し成形された長尺材から、随時包装キャリヤー１の長辺、短辺又は積層厚みの寸法に応じて短尺材へと切断したものである。
【００１７】
このようにして荷造りされた包装キャリヤー１は、強い風に当てられ、船舶などの激しい揺れに遭遇しても荷崩れしない。また、井桁に組んで高く積み上げることができ、そのため倉庫や船倉を有効に利用できるようになるうえ、フォークリフトやクレーンによる荷役が効率よく安全に遂行されるようになる。なお、この実施例においては、長辺では３個所、短辺及び鉛直方向では各２個所で紐帯を結束し、巻き締めたが、これらの結束部位の紐帯２０の数は、包装キャリヤー１の大きさ、製品の強度性質、製品の重量、保管場所あるいは輸送の条件によって適宜に選択することができる。
【００１８】
アングル部材１０は断面がＬ字形であって、図２に示すように内面Ａと内面Ｂとで形成される内角が略直角に形成され、内面Ａと内面Ｂの夫々の先端部は丸みを帯びた端部Ｒが形成される。また、アングル部材の断面は空洞であり、長手方向に複数のリブ１１を貫通して設ける。このアングル部材１０の素材は長尺材であって、押し出し成形によって容易に製造され、３メートル以上の長尺物も得られるので生産性が高い。内面Ａ、Ｂの幅寸法は同じでもよく、包装キャリヤー１の形状によっては内面Ａ、Ｂの幅寸法にバリエーションを持たせても良い。内面Ａと内面Ｂとも平坦面を基本とするが、両方とも内角側へ多少アーチ状に膨らんだ面形状のものであってもよい。
【００１９】
アングル部材の材質としては、プラスチック材の他、鉄、鋼、ステンレス鋼、アルミ合金及び真鍮等の金属材があり、寸法は例えば内面Ａ、Ｂの面幅１００・１００ミリメートル程度である。製品貨物の角部を保護する部材として使用するアングル部材の長さは、保護すべき稜線部の長さにより短くてもよいが、いずれかのものが、角部を保護し得るよう構成することが望ましい。また、他の実施例においては、製品貨物の下面側に、鋼製、木製又はプラスチック製等の荷役用パレットが用いられる。この場合、製品貨物の上面側には略製品の全長に近いアングル部材か、複数のやや短いアングル部材を使用することが推奨される。荷造り用の紐帯２０としては、丈夫な紐、バンド、縄等どのようなものでもよいが、ゴム製又はビニール製が好ましい。
【００２０】
以上のように構成され、次に包装用アングル部材の作用について説明する。アングル部材１０の断面は、図２に示すように空洞であり長手方向に複数のリブ１１を貫通、設けることで説明した。この場合、アングル部材１０の夫々の内面Ａ、Ｂに対して略直立して設けたリブ１１によってアングル部材１０の厚み方向の強度が補強され、紐帯２０により外側から締め付ける際に、リブ１１に負荷が分散して掛かり、アングル部材１０が撓む程の柔軟性を有する。あるいはプラスチック材の空洞構造がもたらす弾性復元力のため、スプリング効果が生じて紐帯２０の緩み止めになる。また、この撓みによりアングル部材１０が製品２の形状によく馴染んで密着する。このようにして、紐帯２０により締め付けられながらアングル部材１０は製品貨物の角部をオーバーハングする。また、アングル部材１０は空洞なので軽量化され、プラスチック材の使用量も減少する。また、端部Ｒは丸みを有するので、締め付け時の紐帯２０がこの部位に当接して摩滅、損傷等発生する恐れがない。また、アングル部材の内面Ａ、Ｂが多少膨らんだアーチ状の場合、製品２を積層した直方体状の側面に凸凹があっても内面Ａ、Ｂの膨らみ面が極部的に当接するので紐帯２０による締め付け力が加わり易い。
【００２１】
そして、図３に、他の実施例に係るアングル部材１０の内側からみた表面の加工状態を示す。アングル部材１０の表面には、図示の様に長手方向に縞又は波打ち模様１２を備え、微細な凸凹を有し一見麻繊維のような直線縞状あるいは波打ち状の模様が形成される。図４は、アングル部材１０を表側から見たもので、同様に表面に縞又は波打ちの模様１２を備える。これらの模様は、押し出し成形又は引き抜き成形によって製造される際に、素材を押し出し又は引き抜く方向である長手方向に微細な凹凸を有する模様が形成される。図３の内面に模様１２を備える場合、縞又は波打ちの模様１２によって、製品貨物とアングル部材１０との接触面における摩擦力が生じて滑り止めの作用をし、荷造りする際にアングル部材１０が製品貨物の稜線部Ｓから滑り落ち難い。また、縞又は波打ちの模様１２と締め付ける紐帯２０とが交叉して相互間の滑りを減少させる作用がある。一方、図４の外面に模様１２を備える場合、縞又は波打ちの模様１２によって、アングル部材１０と紐帯２０との接触面における滑り止めの作用をし、荷造りする際に紐帯２０がアングル部材１０から滑り難く、荷造り作業が楽になる。
【００２２】
以上本実施例では、製品２を積層して直接包装キャリヤー１として荷造りしたが他に種々の荷造り方法がある。例えば、その１は、製品がパレットの上に多数枚、直方体状に平積みされ、その上面の長辺側及び短辺側の稜線部に、アングル部材を当接し、その上からパレットごと、荷造り用紐帯で巻き締める。その２は、製品はパレットの上に多数枚、直方体状に平積みされ、長辺側にそれぞれ短い複数のアングル部材を並べ、その上からパレットごと荷造り用の紐帯２０による巻き締めを複数個所で行う。短辺側及び鉛直方向の稜線部の巻き締めは行わない。その３は、アングル部材として、矩形状フレームに連結したものを包装キャリヤー１の下部に配置して、製品の下部隅部の保護を目的として使用可能である。その４は、アングル部材として、積層された直方体状の製品の角隅部Ｋに配置するものであって、その角隅部Ｋから直方体の包装キャリヤーの長辺、短辺及び鉛直の三方向に延びる三叉一体型のものである。この場合、アングル部材が積み重ねられた製品２の角隅部Ｋを覆うので、角隅部Ｋが欠けたりして破損することを防ぐことができる。この様に、包装キャリヤーのサイズ、重量、製品２の強度等によって自在にアングル部材の長さを選択し、あるいは、矩形フレーム一体型、三叉一体型のものを使用することができる。
【００２３】
アングル部材の材質として、プラスチック材を採用する場合ポリプロピレン、ポリエチレン、ＡＢＳ等のバージン材を使用する他、同様な材質の廃棄プラスチック材をリサイクルして使用することができる。更に、アングル部材の強度補強のため、無機物の充填材として例えば滑石を微粉砕したタルク、アルミナ、硫酸カルシュム石膏等をプラスチック材に混入する。このような材料を使用して、射出成形により断面が複雑形状のアングル部材を得ることができ、あるいは押し出し成形により長さ３メートル以上の長尺物を得ることができる。
【産業上の利用可能性】
【００２４】
廃棄プラスチック材を本考案の物流包装アングル部材の材料として有効利用できる。プラスチック材の生成には原油と大規模の施設が必要であり、原油は無限ではない。作っては廃棄、作っては廃棄しているといずれは枯渇してしまう。そこで、一度は廃棄された工業使用製品又は市販の廃棄プラスチック材を回収して再生した廃棄プラスチック材をアングル部材の材料として利用することを本考案では試みた。ところで、プラスチック材を再利用するために、駅や店舗のゴミ箱でも分類して捨てることになっているが、分類と回収が上手く出来ないのが実情であり、最近ではもっぱら人件費の安い国へ輸出して人手によって分類と回収を行なう。分類された廃棄プラスチック材は溶かして粒状のペレットに加工され、次いでペレットから種々形状のアングル部材を生み出す。必要に応じて強度補強のため、無機物の充填材例えば滑石を微粉砕したタルク、硫酸カルシュム石膏等をプラスチック材に混入する。廃棄プラスチック材の種類としては、身の回りでは、飲料のペットボトルに使われているポリエチレンテレフタレートの他、音楽ＣＤとして使われるポリカーボネイト、レジ袋やお菓子の袋のポリプロピレン、ポリエチレン、ＡＢＳ等多様であり、安価に入手できる。
【図面の簡単な説明】
【００２５】
【図１】本考案の実施例に係る荷造り方法の一実施例を示す斜視図である。
【図２】図１に示した荷造りに使用される物流包装アングル部材を示す斜視図である。
【図３】他の実施例に係る物流包装アングル部材の表面状態を示し、内側から見た斜視図である。
【図４】同上、外側から見た斜視図である。
【符号の説明】
【００２６】
１  包装キャリヤー
２  製品
１０、１５、１６、１７  アングル部材
１１  リブ
１２  模様
２０、２１、２２、２３  紐帯  
Ａ、Ｂ  内面
Ｃ、Ｄ  外面
Ｋ  角隅部
Ｓ  稜線部
Ｒ  端部
【図１】
0003135241.tif 000003
【図２】
0003135241.tif 000004
【図３】
0003135241.tif 000005
【図４】
0003135241.tif 000006